(57)【特許請求の範囲】
【請求項１】
窓枠が金属枠と、その金属枠の屋内側に配置された樹脂枠とからなり、障子框が金属框と、その金属框の屋内側に配置された樹脂框とからなる複合サッシにおいて、前記障子の内召合せ框の金属框に形成されているプルバーの上下端部に装着されて、そのプルバーの上下の切除部の切口端面を覆う水平カバー部と前記切除部の屋内露出面を覆う垂直カバー部とを有する樹脂製プルバーキャップの前記水平カバー部を、前記プルバーを形成する金属框の長手方向端面から前記プルバーを形成する樹脂框の長手方向端部を越える位置まで延出させ、その延出端部に前記樹脂框の熱伸縮による長さの変化を隠蔽できる長さを有して前記樹脂框の屋内側面を覆う垂直延長部を設けたことを特徴とする複合サッシ。
【請求項２】
金属框のプルバーにおける中空部の長手方向端部付近の内壁に、前記金属框の長手中央方向に傾斜して突出する係止突起を形成するとともに、プルバーキャップの前記中空部に挿入される挿入部の外側面に係止孔を設け、前記挿入部の押入の際に前記係止孔が前記係止突起と位置的に合致した時の前記係止突起の弾性復帰により係止されて、前記プルバーキャップが前記プルバーに固定されるようにしたことを特徴とする請求項１に記載された複合サッシ。
【発明の詳細な説明】
【０００１】
【発明の属する技術分野】
本発明は、窓枠が金属枠と、その金属枠の屋内側に配置された樹脂枠とからなり、障子框が金属框と、その金属框の屋内側に配置された樹脂框とからなる複合サッシに関する。
【０００２】
【従来の技術】
この種の複合サッシには、実公昭６３−４９４８１号公報、特開平８−１７７３１６号公報及び特開平８−１７７３１７号公報等に記載されたものが知られている。
この複合サッシは、アルミニウム合金等の形材で作られる金属枠及び金属框が有する耐候性及び機械的強度と、塩化ビニルやアクリル等の形材で作られる樹脂枠及び樹脂框が有する断熱性及び意匠性とを併せ備えており、建物の外観及び内観と整合する統一的な色彩が容易に得られることから、寒冷地に限らず非寒冷地でも、好んで使用されるようになってきた。
【０００３】
【発明が解決しようとする課題】
金属形材と樹脂形材の熱による膨脹収縮率（伸縮率）は、後者の方が大きい。しかし、従来の複合サッシにおいては、金属形材と樹脂形材の伸縮率の差異に対して十分な施策がされていなかったために、幾つかの問題点があった。
第一の問題点は、伸縮率に差異がある故に、金属枠と樹脂枠又は金属框と樹脂框をその長手方向に一体結合することはできないことに基づいて生じる問題点である。
従来は、窓枠及び障子框のいずれにおいても、金属枠及び金属框をそれぞれ矩形に組んでビスで結合し、窓枠の横枠における樹脂枠又は障子の横框における樹脂框をそれぞれ金属枠又は金属框にスライド嵌合により、又はねじ等による止着により結合していた。
このため、障子閉鎖時の気密性確保のため、障子の縦框を屋内方向に引き寄せるための引寄せ部材を縦框に取付ける際に、引寄せ部材を樹脂框に当接し、その樹脂框に設けた貫通孔からねじを金属框にねじ込む場合は、樹脂框の伸縮により、引寄せ部材の取付状態が早期に劣化されやすい。
また、障子縦框の屋内側面に取付けられる引き手は、従来は、金属框の屋内側面と樹脂框の屋内側面に引き手の凹部と同一形状及び寸法の孔を設け、その孔に引き手の凹部を嵌合し、引き手の上下端部の鍔部からねじを樹脂框に貫通し、かつ、金属框にねじ込んで取付けているが、樹脂框の伸縮によりねじに大きな力が加わって、固定状態が悪化し、ついにはねじが緩んで外れる事態が生じる。
【０００４】
第二の問題点は、樹脂枠又は樹脂框の伸縮を吸収するために予め形成してある隙間が、屋内側に顕著に露見されるため、複合サッシの内観が損なわれることである。すなわち、窓枠においては、横枠の樹脂枠の長手方向両端部と縦枠の樹脂枠の上下端部の側面との間に隙間を形成することにより、また、障子においては、横框の樹脂框の長手方向両端部と縦框の樹脂框との間に隙間を形成することにより、それぞれ樹脂枠又は樹脂框の伸縮に対応している。
図１６は、従来の複合サッシにおける障子の一部省略正面図である。この障子Ｄの横框１０，１０Ａの樹脂框１０ｐは、金属框１０ｍよりも僅かに短くされていて、横框の樹脂框１０ｐの長手方向両端部と縦框１の金属框との間に縦の隙間ＣＬが形成されている。樹脂框の伸縮は、この隙間で吸収されるようにしてある。２０，２０Ａは、プルバーの上下端部の切除部に取付けられたプルバーキャップであり、プルバーの切口端面及び切除部において屋内側に露出される金属框の屋内側面を被覆している。
【０００５】
上述のように、従来の複合サッシにおいては、金属框が矩形に結合され、かつ、樹脂框が金属框よりも僅かに短くされて、図１６に例示するように、横框の樹脂框１０ｐの長手方向両端部とプルバーキャップとの間に縦の隙間ＣＬが形成されているため、この隙間が、とくに樹脂框が収縮した場合には拡大して、その隙間から樹脂框１ｐ，１０ｐとは色彩が顕著に異なる金属框１０ｍが屋内側に露見されるので、障子の内観が著しく損なわれるという問題があった。
さらに、プルバーの上下端部に取付けられたプルバーキャップは、プルバーの切口端面及び切除部において屋内側に露出される金属框の屋内側面を被覆しているが、プルバーを構成する金属框部分と樹脂框部分は長さが等しいため、樹脂框の熱伸長によりプルバーの装着状態が影響を受けたり、樹脂框が収縮したときに金属框の端部の屋内側面が屋内側に露見するという問題があった。
【０００６】
本発明は、複合サッシにおける金属形材と、樹脂形材との熱膨脹率の差に基づく上記各種問題点を排除することを目的としている。
【０００７】
【課題を解決するための手段】
上記の目的を達成するため、本発明は、窓枠が金属枠と、その金属枠の屋内側に配置された樹脂枠とからなり、障子框が金属框と、その金属框の屋内側に配置された樹脂框とからなる複合サッシにおいて、前記樹脂框を前記金属框よりもわずかに短く製作するとともに、前記樹脂框を前記金属框の長手方向中央に位置させ、前記障子の内召合せ框の金属框に形成されているプルバーの上下端部に装着されて、そのプルバーの上下の切除部の切口端面を覆う水平カバー部と前記切除部の屋内露出面を覆う垂直カバー部とを有する樹脂製プルバーキャップの前記水平カバー部を、前記プルバーを形成する金属框の長手方向端面から前記プルバーを形成する樹脂框の長手方向端部を越える位置まで延出させ、その延出端部に前記樹脂框の熱伸縮による長さの変化を隠蔽できる長さを有して前記樹脂框の長手方向端部の屋内側面を覆う垂直延長部を設けたことを特徴としている。
上記構成により、プルバーキャップの水平カバー部により切除部の切口端面が被覆され、垂直カバー部により前記切除部の屋内露出面が被覆されるほか、樹脂框を金属框よりもわずかに短く製作してあり、その樹脂框は金属框の長手方向中央に位置され、プルバーキャップの水平カバー部がプルバーを形成する金属框の長手方向端面からプルバーを形成する樹脂框の長手方向端部を越える位置まで延出され、その延出端部に樹脂框の熱伸縮による長さの変化を隠蔽できる長さを有してその樹脂框の長手方向端部の屋内側面を覆う垂直延長部が設けてあるので、樹脂框の伸縮によってプルバーキャップの装着状態に影響が及ぶことや、プルバーの上下端部に金属框の端部が露見することが効果的に防止される。
【０００８】
また、金属框のプルバーにおける中空部の長手方向端部付近の内壁に、前記金属框の長手中央方向に傾斜して突出する係止突起を形成するとともに、プルバーキャップの前記中空部に挿入される挿入部の屋外側面に係止孔を設け、前記挿入部の押入の際に前記係止孔が前記係止突起と位置的に合致した時の前記係止突起の弾性復帰により係止されて、前記プルバーキャップが前記プルバーに固定されるようにしたことを特徴としている。
上記構成により、プルバーキャップは、その挿入部をプルバーの端部の中空部に押入するのみで、プルバーに固定される。
【０００９】
【発明の実施の形態】
次に、本発明の実施の形態を、図示された実施例の場合について説明する。
図１は、障子の内召合せ框と上框との結合部分及びプルバーキャップを示す斜視図、図２は上框の縦断面図、図３は内召合せ框に対するプルバーキャップの取付構造を説明する要部の断面図、図４はプルバーにプルバーキャップを装着した状態を示す障子の要部の正面図である。
【００１０】
図１において、１は障子の内召合せ框であり、アルミニウム合金等の耐候性と機械的強度に優れている金属框１ｍと、その金属框の屋内側に配置された塩化ビニル又はアクリル等の断熱性と意匠性に優れている樹脂框１ｐとで構成されている。そして、金属框１ｍは、その見込み幅方向のほぼ中央に形成されているウェブ２により屋外側と屋内側に仕切られた二つの中空部３，４を有している。樹脂框１ｐは、金属框１ｍの戸尻側面及び屋内側面を覆うように、断面ほぼＬ字形に形成されている。また、金属框１ｍの屋内側面には、樹脂框１ｐの屋外側面との間に断熱空気層５を形成するための、屋内方向に突出する複数本のリブ６が形成されている。
【００１１】
樹脂框１ｐの屋外側端部には、金属框１ｍの屋外側面から屋外方向に僅かに突出するフィン状のタイト材７が一体に成形されている。このタイト材７は、引違い障子を閉めた際に、図７に例示されているように、外召合せ框１Ａの屋内側面に弾力的に接触して、内外両召合せ框１，１Ａの間に気密性を確保するためのものである。
【００１２】
金属框１ｍのウェブ２よりも屋内側部分及びこれを覆っている樹脂框１ｐの屋内側部分は、内召合せ框の障子開閉時に手を掛けるプルバーを構成している。
金属框１ｍは、その上端部に、屋外側中空部３の中央を横切るように切欠して形成されたレール嵌合溝８を有し、また、障子を窓枠に建て込んでレール嵌合溝８に窓枠の上レールを嵌合する際に邪魔にならないように、前記プルバーの上端部は屋内側中空部４の全部に渡って切除９されている。
【００１３】
図示が省略されているが、内召合せ框１の下端部にも、窓枠の下レールを嵌合するためのレール嵌合溝が設けられ、かつ、上端部の切除部９と同様の切除部が設けられている。
【００１４】
金属框１ｍと樹脂框１ｐは、それぞれの屋外側端部と屋内側端部に長手方向に連続形成されている嵌合部と被嵌合部とを合致させ、長手方向にスライドして嵌合することにより、堅牢に結合されている。
障子の上框１０は、図２に例示するように、召合せ框１と同様に、金属框１０ｍと、その金属框の屋内側に露出される部分を覆う樹脂框１０ｐとで構成されている。金属框１０ｍは高さ方向中間部に中空部を有して、所要の強度を備えているとともに、上側ウェブ１１にビスホール１２を有している。また、樹脂框１０ｐは、高さ方向中間部にウェブ１３を有してほぼＴ字形に形成されており、そのウェブ１３を金属框１０ｍのウェブ１１に重ね合わせ、その重ね合わせ部分にねじ等１４をねじ込むことにより金属框１０ｍと樹脂框１０ｐとが結合されている。
好ましくは、金属框と樹脂框の下部に長手方向に連続形成されている嵌合部１５と被嵌合部１６とを合致させ、両框１０ｍ，１０ｐを長手方向にスライドして嵌合した後、ウェブの重ね合わせ部分にねじ１４をねし込んで堅固に結合してある。１７は、上框の長手方向中間部に前記ねじ１４を利用して取付けられた補強金具である。
【００１５】
そして、上記内召合せ框１と上框１０は、従来の障子框の場合と同様に、上框の端部を召合せ框の上端部側面に突き当て、召合せ框にレール嵌合溝の下側において形成してある貫通孔１８からビスを貫通し、上框のビスホール１２にねじ込むことにより連結される。召合せ框１と下框１０Ａ（図４参照）との結合及び上框１０、下框１０Ａと縦框（図示省略）との結合も同様の要領で行われる。
【００１６】
ここで、上框１０の樹脂框１０ｐ及び下框１０Ａの樹脂框は、それぞれ上框１０の金属框１０ｍ及び下框１０Ａの金属框よりも短くしてあり、金属框の中央に結合されている。そして、上框１０及び下框と召合せ框１及び縦框とのビスによる結合を終了した状態では、図１及び図４に一部を示すように、樹脂框１０ｐの長手方向両端部と召合せ框１の金属框１ｍの側面及び縦框の金属框の側面との間に、樹脂框１０ｐの伸縮を吸収するための隙間Ｓが形成される。
【００１７】
図１において、２０は、前記プルバーの上端部に装着される、樹脂材料で成形されたプルバーキャップである。プルバーキャップ２０は、金属框１ｍの上端部切口端面を被覆する水平カバー部２１と、プルバーの中空部に挿入される挿入部２２と、水平カバー部の屋外側端部から屋外側にやや傾斜して垂直上方向に延びて、プルバー切除部の屋内側面、すなわち、ウェブ２の屋内側面を被覆する垂直カバー部２３とを一体に有している。
図３に示すように、挿入部２２の一つの側面に係止孔２２ａを形成するとともに、プルバーの中空部に面する内壁、図示の例では、ウェブ２に中空部４の高さ中央方向に突出する係止突起２ａを形成してあり、挿入部２２をプルバーの上端部から中空部４に押入すると、所定装着位置に到達した時に、係止突起２ａが挿入部の係止孔２２ａに弾力的に嵌合して、以後、抜脱不能に固定されるようになっている。
これと同時に、水平カバー部２１はプルバーの上端部切口端面を被覆し、また、垂直カバー部２３は切除部に露呈される金属框１ｍの屋内側面に密着してこれを被覆する。
【００１８】
水平カバー部２１の周縁は、プルバー切除部の樹脂框の切口端面からさらに屋内方向に僅かに延出されており、その延出端部から樹脂框の屋内側面に沿って垂下する垂直延長部２１ａが形成されている。これにより、プルバーキャップ２０が装着されたときは、プルバーの樹脂框の上端部が垂直延長部２１ａで隠蔽されるため、樹脂框が気温の変動により伸縮しても、樹脂框の上側にこれと異なる色の金属框の上端部が露呈されることがない。  また、垂直カバー部２３には、金属框１ｍと上框の樹脂框の長手方向端部との間の隙間を隠蔽することができる程度に、金属框１ｍのウェブ２から上框方向に延長された水平延長部２３ａが一体に設けられている。
図４に示されているように、プルバーの下端部にも、上部プルバーキャップ２０と同様の下部プルバーキャップ２０Ａが装着されている。これにより、両プルバーキャップがプルバーの上下の小口を封止するので、金属框の端面からの熱移動がなくなる。同時に金属框と樹脂框間の断熱層も封止するので、この断熱層における空気の移動がないため、断熱性が確保される。また、切除部の小口を覆うので、安全性と美観の向上と、樹脂框の端部保護の効果が得られる。
さらに、プルバーキャップの垂直カバー部２３は、框に対してフリー（移動可能）であるので、縦框の樹脂框と金属框の伸縮率の差を吸収する。
このように、プルバーキャップの装着により、樹脂框と金属框の膨脹率の違いに基いて、複合サッシの障子の四隅に内観を損なう隙間Ｓが露見されること、及びその樹脂框の隙間Ｓから色の異なる金属框が露見されることがなくなった。
【００１９】
図５は、障子の開閉移動時に又は閉鎖中に風圧を受けて障子の上部が屋内外方向に揺れることを防止するために縦框の上端部に取付けられる振れ止め具の斜視図である。このような振れ止め具は、内外の障子の召合せ框と縦框の上下各端部に取付けられる。召合せ框の上端部に取付られるものについて、図５〜７を参照して説明する。図６は、図５の振れ止め具２４を取付けた状態の内召合せ框を示す斜視図、図７は振れ止め具が取付けられた内外の召合せ框の平面図である。
【００２０】
振れ止め具２４は、召合せ框１の中空部３の端部に挿入して取付けられ、所定位置まで挿入されたときに、一つの側面に傾斜突出する係止突起２５が、前記中空部３の内周壁の一つに形成してある係止孔２６（図３参照）に弾性復元力により嵌合して固定される。固定された状態で、召合せ框のレール嵌合溝８と合致して連通するレール嵌合溝２７と、召合せ框のビス貫通孔１８と連通する貫通孔２８を有し、上端部には、召合せ框の金属框の上端部の切口端面を負傷防止のため被覆するカバー部２９ａ，２９ｂを有している。
【００２１】
樹脂框１ｐの屋外側端部にはタイト材７が設けてあるが、このタイト材による気密性能を低下させないためには、タイト材７は、外召合せ框１Ａの屋内側壁３０の上端部と同じ高さまで延長していること、すなわち、樹脂框１ｐのレール嵌合溝８よりも屋外側部分は、金属框１ｍの上端面と等しい高さまで存在することが望まれる。しかし、そうすると、とくにタイト材７を含む樹脂框１ｐの伸長が抑制されるため、タイト材７又はカバー部２９ｂが変形して、気密性が損なわれ、又は、障子の円滑な開閉が妨げられる恐れがある。  そこで、本発明においては、振れ止め具の屋外側のカバー部２９ｂを、樹脂框１ｐのレール嵌合溝８よりも屋外側の上端部に対応する形状をもって切欠して、樹脂框の伸縮を許容する切欠部２９ｃが設けてある。
これにより、樹脂框にタイト材が一体に設けられていても、樹脂框の伸縮に伴ってタイト材の気密性が損なわれることがない。しかも、樹脂框の伸縮に左右されることなく、障子の開閉移動を円滑に行うことができる。
好ましくは、振れ止め具２４には短冊状の金属板をＪ又はＵ字形に屈曲して形成された補強金具３１がレール嵌合溝２７を包囲するように取付けられている。この補強金具３１は、閉鎖時の障子に強大な風圧に耐え得る支持強度を与える。
【００２２】
図８は、内障子Ｄｉの縦框の断面を示す図である。この縦框３２も、金属框３２ｍと、その金属框の屋内側に配置される樹脂框３２ｐとで構成されており、金属框３２ｍは所要の強度を備えるため、ほぼ中央に中空部３２ｈを有し、その中空部を形成する戸先側ウェブ３３と、樹脂框３２ｐのウェブ３４とを重ね合せ、その重ね合せ部分をねじ３５で結合するとともに、左右２か所に形成してある嵌合部と被嵌合部によるスライドによる嵌合により結合されている。
【００２３】
図８の３７は、障子閉時に縦枠３４から縦框３２に屋内方向に引寄せ力を与えるための引寄せ部材である。この引寄せ部材３７は、図９に例示するように、樹脂製であり、屋外側に案内面３７ａを、屋内側に固定面３７ｂを、背面側に突出する錨状の突起３７ｃを有している。そして、この引寄せ部材３７は縦框３２の高さ方向の複数箇所において、図１０に示すように、戸先側ウェブ３３と樹脂框３２ｐのウェブ３４の重ね合せ部分に取付けられるが、樹脂框の伸縮による影響を回避するため、樹脂框のウェブ３４には、引寄せ部材の金属框のウェブ３３に当接される背面３７ｄよりもやや長めの孔３３ａが形成されている。そして、その孔の中央に引寄せ部材を位置させて金属框のウェブ３３に当接し、突起３７ｃをそのウェブ３３に予め形成してある係止孔に材料弾性を利用して押入して固定してある。
３７ｅは、引寄せ部材の上下方向に延出する鍔であり、長めに形成してある孔３３ａの空隙を隠蔽するために設けられている。しかし、隠蔽の目的は、図１１に示すように、引寄せ部材の金属框に当接される背面３７ｄの面積を小さくすることでも達成される。
【００２４】
引寄せ部材３７に、障子閉鎖時に縦枠Ｊの突縁３８から加わる反力はかなり大きく、障子が屋内側に引寄せられる時に、樹脂框３２ｐの戸先側端部３９が勢い良く縦枠Ｊの屋内側側壁４０に押される。突縁３８からの反力を、金属框に結合されている突起３７ｃのみで受止めるには、突起の強度に不安がある。そこで、好ましい実施例では、樹脂框３２ｐの、金属框３２ｍの中空部３２ｈの屋内側から縦枠の屋内側側壁４０に押圧される戸先側端部３９までの部分を中空部を有する二重構造として、その強度を高めてある。
これにより、突縁３８から引寄せ部材に加わる力は金属框のウェブ３４と樹脂框の戸先側端部３９とに分散負担されるので、引寄せ部材の取付強度が低下する恐れがない。
【００２５】
縦框３２には、障子を屋外側又は屋内側で開閉するために手を掛けるための引き手４１，４２が取付けられる。外引き手４１は、金属框３２ｍに所要の強度を備えるために中央に設けられている中空部３２ｈの屋外側面に孔を開け、金属框の屋外側からその孔に外引き手４１の凹部を嵌合し、外引き手の周囲の鍔部の上下においてねじを金属框にねじ込むことにより取付けられている。
これに対し、内引き手４２を取付ける場合、樹脂框３２ｐに設けた孔に引き手の凹部を嵌合して、その内引き手の鍔部に貫通したねじを金属框にねじ込むようにする場合は、樹脂框の伸縮によりねじの固着状態が長期の内に劣化される恐れがある。
【００２６】
本発明では、これを回避するため、樹脂框３２ｐに、次のようにして取付けられている。すなわち、樹脂框の前記二重構造部に、図１２及び図１３に示すように、内引き手４２の凹部４２ａの底部よりもやや大きめの孔４３を形成するとともに、その嵌合孔の上下両側に引き手の周囲の鍔部４２ｂのうち上下の裏面に設けたねじ受け４２ｃに対応するねじ貫通孔４４を形成してある。そして、引き手４２の凹部４２ａを樹脂框３２ｐの屋内側から孔４３に遊挿して、ねじ貫通孔４４にねじ受け４２ｃを合致させ、樹脂框の裏面からねじをねじ受け４２ｃにねじ込むことにより、引き手が樹脂框に固着されている。
【００２７】
このように、樹脂框３２ｐの二重構造部に引き手が取付けられるので、確実な取付強度が得られる。また、金属框にねじ止めされているのではないので、金属框と樹脂框の膨脹率の差による影響を受けない。また、ねじは樹脂框の屋内側面に露見されないので、引き手取付部の外観が向上されている。
【００２８】
【発明の効果】
以上に説明したように、本発明によれば、複合サッシの障子の金属框と樹脂框の伸縮率の差異に基づく各種の問題点が解消される。
すなわち、プルバーキャップの水平カバー部により切除部の切口端面が被覆され、垂直カバー部により前記切除部の屋内露出面が被覆されるほか、プルバーキャップの水平カバー部の端部に樹脂框の熱伸縮による長さの変化を隠蔽できる長さを有してその樹脂框の長手方向端部の屋内側面を覆う垂直延長部が設けてあるので、樹脂框の伸縮によってプルバーキャップの装着状態に影響が及んだり、プルバーの上下端部に金属框の端部が露見することが効果的に防止される。
【００２９】
また、金属框のプルバーにおける中空部の内壁に、その中空部の長手中央方向に傾斜して突出する係止突起を形成するとともに、プルバーキャップの前記中空部に挿入される挿入部の屋外側面に係止孔を設けた場合は、プルバーキャップは、その挿入部をプルバーの端部の中空部に押入するのみで、容易にプルバーに固定することができる。
【図面の簡単な説明】
【図１】  障子の内召合せ框と上框との結合部分及びプルバーキャップを示す斜視図である。
【図２】  障子の上框の縦断面図である。
【図３】  内召合せ框に対するプルバーキャップの取付構造を説明する要部の断面図である。
【図４】  プルバーにプルバーキャップを装着した障子の要部の正面図である。
【図５】  振れ止め具の斜視図である。
【図６】  図５の振れ止め具を取付けた内召合せ框を示す斜視図である。
【図７】  振れ止め具が取付けられた内外の召合せ框の平面図である。
【図８】  主として内障子の縦框を示す断面図である。
【図９】  引寄せ部材の構造を説明する図である。
【図１０】  引寄せ部材の取付構造を示す要部の断面図である。
【図１１】  引寄せ部材の他の例の取付構造を示す同様の断面図である。
【図１２】  引き手の構造を説明する図であり、（ａ）は正面図、（ｂ）は背面図、（ｃ）は右側面図、（ｄ）は（ａ）のＸ−Ｘ線断面図である。
【図１３】  引き手を取付けるための樹脂框の加工状態を示す樹脂框の一部正面図である。
【図１４】  引き手の取付状態を示す樹脂框の横断面図である。
【図１５】  図１４のＹ−Ｙ線断面図である。
【図１６】  従来の複合サッシにおける障子の一部省略正面図である。
【符号の説明】
１      内召合せ框
１ｍ    金属框
１ｐ    樹脂框
２      ウェブ
３，４  中空部
７      タイト材
８      レール嵌合溝
９      プルバーの切除部
１０      上框
１０Ａ    下框
１０ｍ    金属框
１０ｐ    樹脂框
２０，２０Ａ    プルバーキャップ
２１      水平カバー部
２１ａ    延長部
２２      挿入部
２３      垂直カバー部
２３ａ    延長部
２４      振れ止め具
２９ａ，２９ｂ  カバー部
２９ｃ    切欠部
３２      縦框
３２ｍ    金属框
３２ｐ    樹脂框
３４      金属框のウェブ
３５      樹脂框のウェブ
３５ａ    嵌合溝
３６      ビス
３７      引寄せ部材
３７ａ    案内面
３８      縦枠の突縁
３９      樹脂框の戸先側端部
４０      縦枠の屋内側壁
４１      外引き手
４２      内引き手
４２ａ    凹部
４２ｂ    鍔部
４２ｃ    ねじ受け部
４３      嵌合孔
４４      ねじ貫通孔
【図１】
0003776272.tif 000002
【図２】
0003776272.tif 000003
【図３】
0003776272.tif 000004
【図４】
0003776272.tif 000005
【図５】
0003776272.tif 000006
【図６】
0003776272.tif 000007
【図７】
0003776272.tif 000008
【図８】
0003776272.tif 000009
【図９】
0003776272.tif 000010
【図１０】
0003776272.tif 000011
【図１１】
0003776272.tif 000012
【図１２】
0003776272.tif 000013
【図１３】
0003776272.tif 000014
【図１４】
0003776272.tif 000015
【図１５】
0003776272.tif 000016
【図１６】
0003776272.tif 000017